(57)【要約】【課題】可搬型ポンプ装置に関し、グランドの水溜まり等の排水に適したものを提供することを目的とする。【解決手段】接地プレート１と、この接地プレート１上の適宜高さに配置される足踏み部２とからなるベース部３を操作ハンドル４の引き上げ操作により吸水する手動ポンプ部５の下端に固定してなり、  手動ポンプ部５の吸水部６の吸水端を接地プレート１上の適宜高さに位置させるように構成する。【選択図】  図２
2008208730.tif 000002
【特許請求の範囲】
【請求項１】
接地プレートと、この接地プレート上の適宜高さに配置される足踏み部とからなるベース部を操作ハンドルの引き上げ操作により吸水する手動ポンプ部の下端に固定してなり、
手動ポンプ部の吸水部の吸水端を接地プレート上の適宜高さに位置させた可搬型ポンプ装置。
【請求項２】
前記吸水部は、手動ポンプ部の底壁を貫通する複数の細径管により形成される請求項１記載の可搬型ポンプ装置。
【請求項３】
前記ベース部には、吸水部を包囲して接地プレートからの吸水高さを吸水端以下に制限する吸水高制限部材が固定される請求項１または２記載の可搬型ポンプ装置。
【請求項４】
前記吸水高制限部材がベース部に対して着脱自在である請求項３記載の可搬型ポンプ装置。
【請求項５】
前記吸水部の吸水端と接地プレートとの間隔が可変である請求項１、２、３または４記載の可搬型ポンプ装置。
【発明の詳細な説明】
【技術分野】
【０００１】
本発明は、可搬型ポンプ装置に関するものである。
【背景技術】
【０００２】
残水を排水するために使用される可搬型ポンプ装置としては、特許文献１に記載のものが知られている。この従来例において、ポンプ装置は、ポンプ本体の下端に円筒形状の下部安定固定部を備える。下部安定固定部の側壁部には、吸水口が開設されており、排水操作は、足を下部安定固定部に載せた状態で円筒部下縁を水底に押し付け、ポンプ本体を作動させて行われる。
【特許文献１】実用新案登録第３１２１８４１号公報
【発明の開示】
【発明が解決しようとする課題】
【０００３】
しかし、上述した従来例において、下部安定固定部は円筒形状に形成されているために、例えばグランドの水溜まり等、水底が軟弱である場合には、吸水口が埋没し、あるいは短期に吸水口が泥等で塞がれてしまい、使い勝手が悪いという欠点がある。
【０００４】
本発明は、以上の欠点を解消すべくなされたものであって、グランドの水溜まり等の排水に適した可搬型ポンプ装置の提供を目的とする。
【課題を解決するための手段】
【０００５】
可搬型ポンプ装置は、手動ポンプ部５の下端（本明細書において、使用状態を基準に「上下」を定義する。）にベース部３を有する。手動ポンプ部５は、操作ハンドル４への引き上げ操作によりポンプ室９に発生する負圧を利用して吸水部６から水を吸い上げ、排水部１０から排出する周知の構造を有しており、吸水工程から操作ハンドル４を初期位置に復帰させるに際し、ポンプ室９内に残留した水が再び吸水部６から排出されないための逆止弁を有する。
【０００６】
ベース部３は、接地プレート１と、この接地プレート１上の適宜高さに配置される足踏み部２とを有しており、排水操作は、足踏み部２を足で踏み、接地プレート１を水溜まり３５の水底に押し付けた状態で手動ポンプ部５を作動させて行われる。
【０００７】
接地プレート１を備え、吸水部６の吸水端が接地プレート１上に配置される本発明において、グランドの水溜まり３５等、泥等の沈下等により水底の状態が悪く、ぬかるんでいても、吸水端がぬかるみの中に埋没することなく、かつ、直下の泥等を直接吸引して吸水部６をつまらせることもないために、安定した排水作業が可能になる。
【０００８】
操作ハンドル４の引き上げ操作時の足掛けを提供する足踏み部２は、ペダル状に形成することも可能であるが、接地プレート１に正対する板体により形成すると、足踏み部２と接地プレート１によって側方に向けて開放される導水路１１が形成される。足踏み部２と接地プレート１との間を好ましい間隔に設定すると、導水路１１内への空気の混入を防止することができ、結果、吸水部６内への空気混入による吸水効率の低下を防止できる。
【０００９】
吸水部６は、適宜の開口面積を有する単一開口として形成することも可能であるが、複数の細径管７の集合として形成すると、残水が少量であっても確実に吸水を行うことができる。すなわち、安定した吸水のためには、ポンプ室９内が吸水部６内の残水により密閉されて負圧が維持されることが必要であり、吸水工程における空気の巻き込みは、負圧解消の原因となる。細径管７の複数により吸水部６を形成すると、空気を巻き込んでも、巻き込まれた空気は細径管７内で液相に挟まれた状態となるために、密閉の解消、すなわち、負圧解消が発生する虞が減少する。
【００１０】
細径管７の寸法は、過度に小径になると泥等が詰まりやすくなり、大径側に行き過ぎると、上述した効果が半減するために、実験的に決定されるが、直径４ｍｍから１０ｍｍ程度、望ましくは直径５ｍｍから９ｍｍ程度で、長さ５０ｍｍ程度とされる。
【００１１】
上述したように、残水の水位が低くても安定的な吸水を可能にするためには、空気の巻き込みを可及的に少なくすることが有効であり、このために、吸水部６を包囲して接地プレート１からの吸水高さを吸水端以下に制限する吸水高制限部材８をベース部３に固定することができる。吸水高制限部材８は、残水位が吸水端の高さ近傍から吸水端高さ以下まで減少した際においても、吸水高制限部材８の取水開口１２を水没状態に保持し、結果、ポンプ室９の負圧が維持される。
【発明の効果】
【００１２】
本発明によれば、グランドの水溜まり等を簡単に排水することができる。
【発明を実施するための最良の形態】
【００１３】
図１、２に示すように、可搬型ポンプ装置は、シリンダ１３内にピストン２３を挿入して形成される手動ポンプ部５と、手動ポンプ部５の下端に固定されるベース部３とを有する。
【００１４】
シリンダ１３は、上端がキャップ部材１４により、下端が底壁部材１５により各々閉塞された中空筒体であり、上端部近傍にエルボ状の排水口１６が形成される。この実施の形態において、シリンダ１３は、側壁からエルボ嵌合筒１７ａを突出させた連結パイプ１７に上下パイプ１８、１９を圧入した後、上パイプ１８上端にキャップ部材１４を、下パイプ１９下端に底壁部材１５を固定して形成される。排水口１６は、エルボ嵌合筒１７ａに圧入される中継パイプ１６ａにエルボパイプ１６ｂを連結して形成される。
【００１５】
手動ポンプ部５の底壁を構成する底壁部材１５は、周縁に固定用筒部１５ａを備えた有底筒体であり、固定用筒部１５ａにおいてシリンダ１３の下端にねじ止めされる。底壁部材１５をねじ止めするために、固定用筒部１５ａにはねじ孔１５ｂが、シリンダ１３にはねじ挿通孔２０が形成される。
【００１６】
上記底壁部材１５の中心には吸水弁２１を保持するための弁ガイド支柱２２が立設される。弁ガイド支柱２２はボルトにより形成され、頭部を上方に向けた姿勢で底壁にねじ込まれる。また、図４（ａ）に示すように、底壁部材１５には、弁ガイド支柱２２を囲むように、複数の細径管７が立設され、吸水部６が構成される。各細径管７は、等径、等長に形成され、上下端の高さを一致させて底壁部材１５の底壁に開設されたパイプ嵌合孔１５ｃに圧入される。
【００１７】
吸水弁２１は、弁ガイド支柱２２が貫通する支柱挿通孔２１ａを中心に備えたリング形状のシート状部材であり、上記細径管７の上端に乗って細径管７の上端開口を閉塞する逆止位置と、弁ガイド支柱２２の頭部に当接して上方への抜け止めがなされる上部ストローク終端との間を移動できる。
【００１８】
一方、ピストン２３は上記キャップ部材１４の中央部に開設されたピストン貫通孔１４ａを挿通してシリンダ１３内に挿入されるピストンパイプ２４と、ピストンパイプ２４の上端に固定される操作ハンドル４とを備える。操作ハンドル４は、Ｔ形パイプ４ａの両端に中継パイプ４ｂを介して握り用パイプ４ｃを連結して形成され、Ｔ形パイプ４ａの下端をピストンパイプ２４にねじ止めして固定される。
【００１９】
また、ピストン２３の下端には弁付き押圧部２５が形成される。弁付き押圧部２５は、円板部２６ａの中心から上方に固定用筒部２６ｂを突設した弁支持体２６と、弁支持体２６の円板部２６ａの下面に固定されるパッキン体２７とを有する。弁支持体２６の円板部２６ａには後述するピストン弁２３ａにより開閉される貫通孔２６ｃが開設される。弁支持体２６は、固定用筒部２６ｂをピストンパイプ２４に外嵌合させた後、ボルト２８、ナット２９を使用してピストンパイプ２４に固定される。パッキン体２７はシリンダ１３の下パイプ１９の内径に比してやや小径または同径の外径寸法を有する円板状部材であり、ネジ３０により弁支持体２６の円板部２６ａにネジ止めされる補助プレート３１に挟まれて弁支持体２６の円板部２６ａの下面に固定される。
【００２０】
以上のように構成されるピストン２３をシリンダ１３に挿入すると、パッキン体２７の外周がピストン２３の内周壁に摺接し、シリンダ１３内に弁付き押圧部２５と上記吸水弁２１とにより挟まれたポンプ室９が画成される。この状態で操作ハンドル４を操作してピストン２３を上方に引き上げると、ポンプ室９に発生する負圧によりピストン弁２３ａが下方に移動して貫通孔２６ｃを閉じるとともに、吸水弁２１が上方に移動して開く。これに対し、操作ハンドル４を下方に押し下げると、吸水弁２１が閉じてピストン弁２３ａが上方に移動し、貫通孔２６ｃの閉塞状態を解除する。
【００２１】
図１に示すように、ベース部３は、足踏みプレート２（足踏み部２）と接地プレート１とを有する。足踏みプレート２は中心部に開口２ａが開設された矩形形状の板材であり、図３に示すように、開口２ａ周縁が底壁部材１５の固定用筒部１５ａに形成された段部と、下パイプ１９の下端に挟み付けられた状態でシリンダ１３下端に固定される。
【００２２】
接地プレート１は、上記足踏みプレート２と同形の板材であり、ボルト３３とナット３２を使用して足踏みプレート２に連結される。この接地プレート１は、足踏みプレート２の下方に適宜間隔隔てて配置され、これら接地プレート１と足踏みプレート２により側方に開放された導水路１１が形成される。導水路１１の高さ寸法を保持するために、足踏みプレート２と接地プレート１との間には上記ボルト３３が挿通するスペーサ３４が介装される。また、接地プレート１を固定した状態で、接地プレート１と細径管７の下端との間には、適宜の間隔が設定される。
【００２３】
したがってこの実施の形態において、例えば、グランドの水溜まり３５の除水操作は、図５に示すように、グランドの水溜まり３５に接地プレート１を置き、足踏みプレート２上に足を載せて操作ハンドル４を操作して行われる。除水操作に際し、まず、図６に示すように、ピストン２３を引き上げてポンプ室９の容積を増加させてポンプ室９内に負圧を発生させると、吸水弁２１が開放し、足踏みプレート２と接地プレート１により形成される導水路１１を通って残水３５がポンプ室９内に導かれる。
【００２４】
この後、図７に示すように、ピストン２３を降下させると、ポンプ室９の容積の減少により発生したポンプ室９内の圧力によりピストン弁２３ａが開放し、さらに、吸水弁２１は水圧により閉じるために、逆流が防止される。この操作を繰り返すと、ポンプ室９内の水量が徐々に多くなり、やがて排水口１６から排水される。
【００２５】
なお、以上において、ピストン弁２３ａ、および吸水弁２１は板状の部材により形成され、ポンプ室９内の圧力変化により上下動する場合が示されているが、適宜のヒンジ周りに回転するように構成することもできる。
【００２６】
さらに、この実施の形態において、可搬型ポンプ装置には吸水高制限部材８を装着することができる。図１、８に示すように、吸水高制限部材８は一対の弧状プレート３６、３６を連結して形成される。弧状プレート３６、３６はプレート体を半円形状に屈曲した形状を有しており、図８（ｂ）に示すように、両端の連結端３６ａ、３６ａを重ね合わせた状態で円筒形状となる。保管時の散逸を防止するために、各弧状プレート３６、３６には連結紐３９が固定される。
【００２７】
これら各弧状プレート３６、３６の高さ寸法は、足踏みプレート２と接地プレート１との間隔とほぼ同寸またはやや大寸に形成されており、円筒形状に連結した後、足踏みプレート２と接地プレート１との間隔に圧入して装着される。図８に示すように、弧状プレート３６の下端縁には、ベース部３への装着状態において接地プレート１から細径管７下端までの高さに比して低背の取水切欠（取水開口１２）が切り欠かれており、実質的な取水高さを低くしている。
【００２８】
したがってこの実施の形態において、図８に示すように、残水３５の水位が細径管７の管端以下になっても、吸水高制限部材８がポンプ室９と外気との連通を規制する。この結果、ポンプ室９内の負圧が解消されることがなく、残水３５の排出が可能になる。
【００２９】
図９に本発明の他の実施の形態を示す。この実施の形態において、下パイプ１９の下端にはスペーサ３７が固定される。スペーサ３７は下パイプ１９の内周に嵌合可能な円筒形状に形成され、下端部は拡径されて、下パイプ１９の下端と協働して足踏みプレート２を挟持する段差部３７ａが形成される。また、このスペーサ３７の側壁には、下パイプ１９に開設したねじ挿通孔２０に正対するネジ孔３７ｂが形成される。
【００３０】
底壁部材１５は、上記スペーサ３７の内周壁に外周壁を摺接させて上下移動自在に装着される。上述した実施の形態と同様に底壁部材１５には、多数の細径管７が固定されて吸水部６が形成されており、ネジ孔３７ｂにねじ込まれる押しビス３８に外周壁が押し付けられて適宜高さに保持される。
【００３１】
したがってこの実施の形態において、図９（ａ）に示すように、残水３５の水位が比較的高い場合には、細径管７の管端と接地プレート１との間を広く設定し、ピストン２３の一往復での吸水量を多くすることができる。これに対し、残水３５の水位が低下した場合には、図９（ｂ）に示すように、底壁部材１５を降下させて細径管７の管端を接地プレート１に接近させると、実効的な吸水水位が低くなるために、上述した吸水高制限部材８を配置したのと同様の原理により安定した吸水が可能になる。
【００３２】
なお、図９において底壁部材１５の固定は、無段階の高さ調整を可能にするために押しビス３８が使用されているが、底壁部材１５にネジ挿通孔を開設し、下パイプ１９のネジ挿通孔を貫通してスペーサ３７のネジ孔にねじ込まれるビスを挿通させることもできる。また、細径管７の管端が接地プレート１に接触して吸水部６が閉塞されることを防止するために、底壁部材１５の下方ストロークを適宜手段で規制することが望ましく、図９に示す実施の形態においては、弁ガイド支柱２２の下端を底壁部材１５から下方に突出させて下方ストローク規制部材として利用される。
【図面の簡単な説明】
【００３３】
【図１】本発明を示す斜視図である。
【図２】可搬型ポンプ装置の断面図を示す図である。
【図３】底壁部材と弁付き押圧部を示す図である。
【図４】底壁部材と弁付き押圧部を示す図で、（ａ）は図３の４Ａ-４Ａ線断面図、（ｂ）は図３の４Ｂ-４Ｂ線断面図である。
【図５】グランドの水溜まりの除水操作を示す斜視図である。
【図６】操作ハンドルを引き上げた状態を示す図で、（ａ）は全体図、（ｂ）はポンプ室の拡大図である。
【図７】操作ハンドルを押した状態を示す図で、（ａ）は全体図、（ｂ）はポンプ室の拡大図である。
【図８】吸水高制限部材を取り付けた状態を示す図で、（ａ）は断面図、（ｂ）は正面図、（ｃ）は（ａ）の８Ｃ-８Ｃ線断面図である。
【図９】本発明の他の実施の形態を示す図で、（ａ）は残水水位が高い場合を示す図、（ｂ）は残水水位が低い場合を示す図である。
【符号の説明】
【００３４】
１    接地プレート
２    足踏み部
３    ベース部
４    操作ハンドル
５    手動ポンプ部
６    吸水部
７    細径管
８    吸水高制限部材
【図１】
2008208730.tif 000003
【図２】
2008208730.tif 000004
【図３】
2008208730.tif 000005
【図４】
2008208730.tif 000006
【図５】
2008208730.tif 000007
【図６】
2008208730.tif 000008
【図７】
2008208730.tif 000009
【図８】
2008208730.tif 000010
【図９】
2008208730.tif 000011